(57)【要約】【課題】注水試験に対応しつつ低騒音化を図る。【解決手段】静止誘導機器本体１１０と、静止誘導機器本体１１０を覆う防音カバー１２０と、防音カバー１２０の内側に位置して、静止誘導機器本体１１０に向けて水を噴射する注水機構１６０と、防音カバー１２０の内側かつ平面視において注水機構１６０より外側に位置して、静止誘導機器本体１１０の周りを囲む吸音カーテン１５０とを備える。吸音カーテン１５０は、防水シート１５１および防水シート１５１の一方の面に貼り付けられた吸音材１５２を含む。吸音材１５２は、防水シート１５１を挟んで注水機構１６０とは反対側に位置している。【選択図】図１
2015153824.tif 000002
【特許請求の範囲】
【請求項１】
静止誘導機器本体と、
前記静止誘導機器本体を覆う防音カバーと、
前記防音カバーの内側に位置して、前記静止誘導機器本体に向けて水を噴射する注水機構と、
前記防音カバーの内側かつ平面視において前記注水機構より外側に位置して、前記静止誘導機器本体の周りを囲む吸音カーテンとを備え、
前記吸音カーテンは、防水シートおよび該防水シートの一方の面に貼り付けられた吸音材を含み、
前記吸音材は、前記防水シートを挟んで前記注水機構とは反対側に位置している、静止誘導機器。
【請求項２】
前記防水シートが蛇腹形状を有し、
前記吸音材は前記蛇腹形状に沿うように位置している、請求項１に記載の静止誘導機器。
【請求項３】
前記吸音カーテンが前記静止誘導機器本体の周りを２重に囲むように位置している、請求項１または２に記載の静止誘導機器。
【請求項４】
前記吸音材は、面ファスナによって前記防水シートに貼り付けられている、請求項１から３のいずれか１項に記載の静止誘導機器。
【発明の詳細な説明】
【技術分野】
【０００１】
本発明は、静止誘導機器に関し、特に、静止誘導機器本体の消火用の注水機構を備えた静止誘導機器に関する。
【背景技術】
【０００２】
静止誘導機器本体に向けて水を噴射する注水装置を備える静止誘導機器を開示した先行文献として、実開平３−６８１７号公報(特許文献１)がある。特許文献１に記載された静止誘導機器は、静止誘導機器本体と、静止誘導機器本体を収納した防音タンクと、防音タンクの内面に設けられ遮音性および防水性を有するカーテン状の鉛シートと、防音タンク内に設けられて静止誘導機器本体に向けて水を噴射する注水装置とを備える。
【先行技術文献】
【特許文献】
【０００３】
【特許文献１】実開平３−６８１７号公報
【発明の概要】
【発明が解決しようとする課題】
【０００４】
消火用の注水機構を備えた静止誘導機器においては、注水機構が正常に動作するか確認するために注水試験が行なわれる。そのため、特許文献１に記載の静止誘導機器においては、遮音性および防水性を有する鉛シートを防音タンクの内面に設けて静止誘導機器本体を覆っている。ただし、鉛シートは吸音性能があまり高くないため、特許文献１に記載の静止誘導機器においては低騒音化について改善する余地があった。
【０００５】
本発明は上記の問題点に鑑みてなされたものであって、注水試験に対応しつつ低騒音化を図れる静止誘導機器を提供することを目的とする。
【課題を解決するための手段】
【０００６】
本発明に基づく静止誘導機器は、静止誘導機器本体と、静止誘導機器本体を覆う防音カバーと、防音カバーの内側に位置して、静止誘導機器本体に向けて水を噴射する注水機構と、防音カバーの内側かつ平面視において注水機構より外側に位置して、静止誘導機器本体の周りを囲む吸音カーテンとを備える。吸音カーテンは、防水シートおよび防水シートの一方の面に貼り付けられた吸音材を含む。吸音材は、防水シートを挟んで注水機構とは反対側に位置している。
【発明の効果】
【０００７】
本発明によれば、注水試験に対応しつつ低騒音化を図れる。
【図面の簡単な説明】
【０００８】
【図１】本発明の実施形態１に係る静止誘導機器の構成を示す断面図である。
【図２】図１の静止誘導機器をＩＩ−ＩＩ線矢印方向から見た断面図である。
【図３】本実施形態に係る静止誘導機器の吸音カーテンを吸音材側から見た図である。
【図４】本発明の実施形態２に係る静止誘導機器を図２と同じ方向から見た断面図である。
【図５】本発明の実施形態３に係る静止誘導機器を図２と同じ方向から見た断面図である。
【図６】同実施形態に係る静止誘導機器の吸音カーテンの構成を示す一部拡大図である。
【図７】本発明の実施形態４に係る静止誘導機器を図２と同じ方向から見た断面図である。
【発明を実施するための形態】
【０００９】
以下、本発明の各実施形態に係る静止誘導機器について図面を参照して説明する。以下の実施形態の説明においては、図中の同一または相当部分には同一符号を付して、その説明は繰り返さない。なお、静止誘導機器としては、変圧器およびリアクトルなどが含まれる。
【００１０】
(実施形態１)
図１は、本発明の実施形態１に係る静止誘導機器の構成を示す断面図である。図２は、図１の静止誘導機器をＩＩ−ＩＩ線矢印方向から見た断面図である。図３は、本実施形態に係る静止誘導機器の吸音カーテンを吸音材側から見た図である。
【００１１】
図１〜３に示すように、本発明の実施形態１に係る静止誘導機器１００は、静止誘導機器本体１１０と、静止誘導機器本体１１０を覆う防音カバー１２０と、防音カバー１２０の内側に位置して、静止誘導機器本体１１０に向けて水を噴射する注水機構１６０と、防音カバー１２０の内側かつ平面視において注水機構１６０より外側に位置して、静止誘導機器本体１１０の周りを囲む吸音カーテン１５０とを備える。
【００１２】
防音カバー１２０は、複数の防音パネルが互いに組み合わされて構成されている。防音カバー１２０は、静止誘導機器本体１１０が載置されている基礎１上に、静止誘導機器本体１１０に対して間隔を置いて配置されている。
【００１３】
防音カバー１２０は、基礎１上に位置する周壁部と周壁部の上端を塞ぐ天井部とを有する。防音カバー１２０の天井部の下面に、吸音材１３０が貼り付けられている。吸音材１３０は、板状に成形されたグラスウールから構成されている。
【００１４】
防音カバー１２０の周壁部の内面に、吸音カーテン１５０を吊るすためのカーテンレール１４０が取り付けられている。カーテンレール１４０は、防音カバー１２０の周壁部の上端側において周壁部に沿って１周するように設けられている。
【００１５】
注水機構１６０は、静止誘導機器本体１１０より上側、かつ、平面視にて静止誘導機器本体１１０の周囲に位置している。注水機構１６０は、水を噴射する複数のノズルおよびノズルを開閉する開閉弁を含む。ノズルは、外部から水が供給される配管に接続されている。開閉弁は、防音カバー１２０の外側に配置された制御装置と接続されている。制御装置は、静止誘導機器本体１１０の近傍に配置された火災検出センサなどと接続されている。
【００１６】
吸音カーテン１５０は、防水シート１５１および防水シート１５１の一方の面に貼り付けられた吸音材１５２を含む。吸音材１５２は、防水シート１５１を挟んで注水機構１６０とは反対側に位置している。
【００１７】
防水シート１５１は、クロロプレンゴムなどの防水性、難燃性および可撓性を有する材料から形成されている。吸音材１５２は、板状に成形されたグラスウールから構成されている。
【００１８】
本実施形態においては、複数の矩形状の吸音材１５２が、互いに間隔Ｌを置いて平行に、防水シート１５１に接着剤により貼り付けられている。吸音材１５２同士の間に間隔Ｌを置いている理由は、吸音カーテン１５０を搬送する際に、間隔Ｌの部分で吸音カーテン１５０を折り返して折り畳むことができるようにするためである。このようにした場合、吸音カーテン１５０の持ち運びが容易になる。なお、必ずしも間隔Ｌを開ける必要はなく、防水シート１５１の一方の面の全体に吸音材１５２が貼り付けられていてもよい。
【００１９】
本実施形態においては、４枚の防水シート１５１によって、静止誘導機器本体１１０の周りを囲んでいる。互いに隣接する防水シート１５１の端部同士は、水が透過しないように防水テープなどによって接続されている。なお、１枚の防水シート１５１によって静止誘導機器本体１１０の周りを囲むようにしてもよく、防水シート１５１の枚数は特に限定されない。
【００２０】
以下、本実施形態に係る静止誘導機器１００において火災発生時の動作について説明する。火災検出センサが静止誘導機器本体１１０からの出火を検出した場合、火災検出センサの出力信号が制御装置に送られる。火災検出センサの出力信号を受信した制御装置は、通常時は閉じている開閉弁を開かせる信号を開閉弁に送る。制御装置からの信号を受けて開閉弁が開くことにより、複数のノズルから水が静止誘導機器本体１１０に向けて噴射される。このように、静止誘導機器１００は、静止誘導機器本体１１０の消火工程が自動的に行なわれるように構成されている。
【００２１】
注水機構１６０を備える静止誘導機器１００においては、静止誘導機器１００が組み立てられた後、注水機構１６０が正常に動作するか確認するために注水試験が行なわれる。注水試験においては、制御装置から開閉弁に開閉弁を開かせる信号を試験的に送信して、開閉弁が開いて全てのノズルから正常に水が噴射されるか否かを確認する。
【００２２】
注水機構１６０から噴射される水は高圧であるため、注水試験時には静止誘導機器本体１１０の周囲に水が飛散する。上記のように、吸音材１５２はグラスウールなどの吸水する材料から構成されている。そのため、仮に吸音材１５２に水がかかった場合、吸音材１５２が吸水して吸音性能が低下する。この場合、静止誘導機器本体１１０から生ずる騒音を十分に低減することができなくなる。
【００２３】
そこで、本実施形態に係る静止誘導機器１００においては、防水シート１５１によって静止誘導機器本体１１０および注水機構１６０の周りを囲み、防水シート１５１において注水機構１６０とは反対側に位置する一方の面に吸音カーテン１５０を貼り付けている。
【００２４】
これにより、吸音材１５２に注水機構１６０から噴射された水がかかることを防止することができる。その結果、注水試験後も吸音材１５２の吸音性能を維持して静止誘導機器本体１１０から生ずる騒音を十分に低減することができるため、注水試験に対応しつつ静止誘導機器１００の低騒音化を図れる。
【００２５】
以下、本発明の実施形態２に係る静止誘導機器について説明する。なお、本実施形態に係る静止誘導機器は、吸音カーテンの配置のみ実施形態１に係る静止誘導機器１００とは異なるため、他の構成については説明を繰り返さない。
【００２６】
(実施形態２)
図４は、本発明の実施形態２に係る静止誘導機器を図２と同じ方向から見た断面図である。図４に示すように、本発明の実施形態２に係る静止誘導機器２００においては、吸音カーテン１５０が静止誘導機器本体１１０の周りを２重に囲むように位置している。
【００２７】
また、外側に位置する吸音カーテン１５０の吸音材１５２同士の間の間隔Ｌの位置と、内側に位置する吸音カーテン１５０の吸音材１５２同士の間の間隔Ｌの位置とが重ならないように、内側の吸音カーテン１５０と外側の吸音カーテン１５０とを互いにずらして配置している。
【００２８】
上記の構成により、吸音材１５２による吸音効果を高めて、実施形態１に係る静止誘導機器１００に比較してさらに低騒音化を図ることができる。
【００２９】
以下、本発明の実施形態３に係る静止誘導機器について説明する。なお、本実施形態に係る静止誘導機器は、吸音カーテンの構造のみ実施形態１に係る静止誘導機器１００とは異なるため、他の構成については説明を繰り返さない。
【００３０】
(実施形態３)
図５は、本発明の実施形態３に係る静止誘導機器を図２と同じ方向から見た断面図である。図５に示すように、本発明の実施形態３に係る静止誘導機器３００の吸音カーテン３５０においては、防水シート３５１が蛇腹形状を有している。吸音材３５２は防水シート３５１の蛇腹形状に沿うように位置している。なお、蛇腹形状とは、平面視にてジグザグ状の形状を意味している。
【００３１】
図６は、本実施形態に係る静止誘導機器の吸音カーテンの構成を示す一部拡大図である。図６に示すように、本実施形態に係る静止誘導機器３００の吸音カーテン３５０においては、吸音材３５２は、面ファスナ３５３によって防水シート３５１に貼り付けられている。
【００３２】
吸音材３５２を面ファスナ３５３によって防水シート３５１に貼り付けるようにすることにより、吸音材３５２を静止誘導機器３００の設置場所において防水シート３５１に容易に貼り付けることが可能となる。
【００３３】
それにより、吸音カーテン３５０を静止誘導機器３００の設置場所に搬送する際には、蛇腹形状の防水シート３５１を畳んで吸音材３５２とは別々に搬送し、静止誘導機器３００を組み立てる際に、防水シート３５１に吸音材３５２を貼り付けて吸音カーテン３５０を構成することができる。このようにすることにより、吸音カーテン３５０の持ち運びを容易にすることができる。
【００３４】
また、吸音材３５２を防水シート３５１の蛇腹形状に沿うように配置することにより、防水シート３５１に貼り付け可能な吸音材３５２の量を約２０％高くすることができる。これにより、吸音材３５２による吸音効果を高めて、実施形態１に係る静止誘導機器１００に比較してさらに低騒音化を図ることができる。
【００３５】
以下、本発明の実施形態４に係る静止誘導機器について説明する。なお、本実施形態に係る静止誘導機器は、吸音カーテンの配置のみ実施形態３に係る静止誘導機器３００とは異なるため、他の構成については説明を繰り返さない。
【００３６】
(実施形態４)
図７は、本発明の実施形態４に係る静止誘導機器を図２と同じ方向から見た断面図である。図７に示すように、本発明の実施形態４に係る静止誘導機器４００においては、吸音カーテン３５０が静止誘導機器本体１１０の周りを２重に囲むように位置している。
【００３７】
また、外側に位置する吸音カーテン３５０の吸音材３５２同士の間の位置と、内側に位置する吸音カーテン３５０の吸音材３５２同士の間の位置とが重ならないように、内側の吸音カーテン３５０と外側の吸音カーテン３５０とを互いにずらして配置している。
【００３８】
上記の構成により、吸音材３５２による吸音効果を高めて、実施形態３に係る静止誘導機器３００に比較してさらに低騒音化を図ることができる。
【００３９】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４０】
１  基礎、１００，２００，３００，４００  静止誘導機器、１１０  静止誘導機器本体、１２０  防音カバー、１３０，１５２，３５２  吸音材、１４０  カーテンレール、１５０，３５０  吸音カーテン、１５１，３５１  防水シート、１６０  注水機構、３５３  面ファスナ。
【図１】
2015153824.tif 000003
【図２】
2015153824.tif 000004
【図３】
2015153824.tif 000005
【図４】
2015153824.tif 000006
【図５】
2015153824.tif 000007
【図６】
2015153824.tif 000008
【図７】
2015153824.tif 000009